(57)【特許請求の範囲】
【請求項１】
表面と下面と左右の側面とを備えて横長の断面略矩形の形状となされると共に長手方向に沿って中空部が内部に形成されたアルミ合金製形材からなる芯材の前記表面に合成樹脂が被覆され、前記表面を上側にして床材として使用される樹脂被覆長尺体であって、芯材の前記表面には複数の縦リブが長手方向に沿って形成されると共に、該縦リブが形成された前記表面が合成樹脂により被覆されて縦リブが隠蔽され、且つ前記縦リブ間に形成された溝部に被覆樹脂が充填され、芯材の下面は平坦面となされて前記縦リブが形成されていないことを特徴とする樹脂被覆長尺体
【請求項２】
前記縦リブには横方向に突部が形成されていることを特徴とする請求項１に記載の樹脂被覆長尺体。
【発明の詳細な説明】
【技術分野】
【０００１】
本発明は、金属製の芯材の表面に樹脂を被覆した樹脂被覆長尺体に関するものである。
【背景技術】
【０００２】
従来、例えば、遊歩道や公園施設において設置されるベンチやテーブル、八ツ橋、ボードウォークの他、競技場の観覧席、或いは住宅のベランダやテラスのデッキ材や柱材、ビルや駅の周辺の通路や休憩スペース等に用いられる合成樹脂製の長尺体については、例えば、２０質量％〜８０質量％の木粉を含有した合成樹脂からなる硬質板状体１１と、該硬質板状体１１の一面に積層された樹脂発泡体１とからなる床材であって、前記樹脂発泡体１は、シート状の連続発泡層２の少なくとも一面に凸状に形成された発泡倍率の高い複数の高発泡部３を備え、該高発泡部３の全表面は前記連続発泡層２と共に発泡倍率の低い低発泡層４により被覆され、且つ、前記低発泡層４により被覆された相隣接する前記高発泡部３…間に凹部４１が形成されることにより凹凸が形成されている床材が開示されている（例えば特許文献１）。
【先行技術文献】
【特許文献】
【０００３】
【特許文献１】特開２００３−１６６３３５号公報
【特許文献２】特開２００６−４５９３８号公報
【発明の概要】
【発明が解決しようとする課題】
【０００４】
しかしながら、特許文献１に記載のような従来の床材である合成樹脂製の長尺体は、屋外で用いられ日光が照射された際、合成樹脂の熱伝導率が低いために、長尺体に蓄熱され、夏場においては表面温度が約６０℃程度まで上昇し、長尺体上を素足で歩行したり、長尺体を素手で触ると、火傷をする恐れがあった。
【０００５】
そこで本出願人は、中空部を備え金属材料からなる一体の芯材の、外周全体に合成樹脂を用いて被覆層が設けられ、該被覆層の少なくとも表面は木粉が１０〜６０重量％配合された熱可塑性合成樹脂を用いて形成されると共に、前記被覆層の厚みが１〜５ｍｍとなされているデッキ材を提案している（特許文献２）。この提案したデッキ材である長尺体は、中空部を備えた金属材料からなる芯材の外周に合成樹脂を被覆することにより、合成樹脂製の被覆層を薄肉にすると共に、中空部を備え、且つ合成樹脂より熱伝導率の高い金属材料を芯材に用いることにより、日光が照射された際、合成樹脂に蓄熱される熱を放熱させる材料及び構造とし、更に表面には木の風合いを備えさせたたものである。
【０００６】
しかしながら、特許文献２に記載のデッキ材である長尺体においては、外周に設けられた被覆層が薄肉であり、芯材として中空部を備えた金属材料を用いているため、硬めの靴底の靴でその上を歩行したり、傘や杖等で突いたりすると、心地良いとは言い辛い金属音が発生してしまうと言う課題があった。
【０００７】
本発明は上記の如き課題に鑑みてなされたものであり、合成樹脂をその表面に用いても蓄熱を抑えることができると共に、金属製の芯材を用いても不快な金属音を低減することができる樹脂被覆長尺体を提供せんとするものである。
【課題を解決するための手段】
【０００８】
上記目的を達成するために、本発明は次のような構成としている。
すなわち、本発明に係る樹脂被覆長尺体は、表面と下面と左右の側面とを備えて横長の断面略矩形の形状となされると共に長手方向に沿って中空部が内部に形成されたアルミ合金製形材からなる芯材の前記表面に合成樹脂が被覆され、前記表面を上側にして床材として使用される樹脂被覆長尺体であって、芯材の前記表面には複数の縦リブが長手方向に沿って形成されると共に、該縦リブが形成された前記表面が合成樹脂により被覆されて縦リブが隠蔽され、且つ前記縦リブ間に形成された溝部に被覆樹脂が充填され、芯材の下面は平坦面となされて前記縦リブが形成されていないことを特徴とするものである。
【０００９】
また、本発明に係る樹脂被覆長尺体は、前記縦リブには横方向に突部が形成されていることを特徴とするものである。
【００１０】
また、本発明に係る樹脂被覆長尺体は、前記縦リブが形成された金属製の芯材はアルミ合金製型材であることを特徴とするものである。
【００１１】
また、本発明に係る樹脂被覆長尺体は、床材として使用されることを特徴とするものである。
【発明の効果】
【００１２】
本発明によれば、芯材の前記表面に複数の縦リブを長手方向に沿って形成すると共に、該縦リブが形成された前記表面を合成樹脂により被覆して縦リブを隠蔽し、且つ前記縦リブ間に形成された溝部に被覆樹脂を充填しているため、縦リブ間に形成される溝部に合成樹脂が充填されることにより、当該溝部では合成樹脂の厚みが大きくなる、すなわち縦リブが形成された表面を被覆する合成樹脂の見かけの厚みを大きくすることができので、金属製の芯材に起因する金属音を低減することができるのに加えて、縦リブによって芯材の表面積は増大することから、芯材の表面に被覆された合成樹脂に蓄熱される熱をこの金属製の縦リブによって効率よく放熱することができ、樹脂被覆長尺体上を素足で歩行したり素手で触ったりした際、火傷をする恐れを低減することができる。
【００１３】
また、本発明によれば、縦リブに横方向に突部を形成しているため、前記溝部が蟻溝状になり、そこに合成樹脂が充填されるので、充填された合成樹脂は突部によって抜け難くなり、芯材の表面に被覆された合成樹脂が芯材から剥がれ難くなる。
【００１４】
また、本発明によれば、縦リブが形成された金属製の芯材はアルミ合金製型材であるため、被覆樹脂に蓄熱された熱を高い熱伝導率を有するアルミ合金製型材によって放熱させることができ、好適である。
【００１５】
また、本発明によれば、床材として使用される樹脂被覆長尺体であるため、合成樹脂をその表面に用いても蓄熱を抑えることができるので、床材上を素足で歩行してもやけどする恐れを低減できると共に、金属製の芯材を用いても不快な金属音を低減することができる。
【図面の簡単な説明】
【００１６】
【図１】本発明に係る樹脂被覆長尺体の実施の一形態を示す斜視図である。
【図２】本発明に係る樹脂被覆長尺体の実施の一形態を示す縦断面図及び要部拡大図である。
【図３】図２に示す実施形態における突部の変形実施例を示す拡大縦断面図である。
【図４】図２に示す実施形態における突部の別の変形実施例を示す拡大縦断面図である。
【図５】図２に示す実施形態の変形実施例を示す縦断面図である。
【図６】樹脂被覆長尺体の参考例を示す縦断面図である。
【図７】樹脂被覆長尺体の参考例を示す縦断面図である。
【図８】樹脂被覆長尺体の参考例を示す縦断面図である。
【発明を実施するための形態】
【００１７】
次に、本発明を実施するための最良の形態について図面を参照し、具体的に説明する。
Ｐは樹脂被覆長尺体であって、横長の断面略矩形の形状となされ、金属製の芯材１の表面全周に亘り合成樹脂２が被覆されてなる。
【００１８】
芯材１は、横長の断面略矩形の形状となされ、長手方向に沿って３個の横長の断面略矩形の中空部１１が並列に形成され、該中空部１１間は上下方向に設けられた２個の縦壁１２によって仕切られている。そして、芯材１の上側の表面１３には複数の縦リブ３が長手方向に沿って形成されると共に、該縦リブ３が形成された前記表面１３が合成樹脂２により被覆されて縦リブ３が隠蔽され、且つ縦リブ３間に形成された溝部４に被覆樹脂２１が充填されて、芯材１の表面が全周に亘り合成樹脂２により被覆されている。
【００１９】
本形態においては、前記縦リブ３による表面積の増大と、空気の流通が可能な中空部１１とにより、芯材１を被覆している合成樹脂２に蓄熱される熱が芯材１によって効果的に冷却される。
【００２０】
また、前記縦リブ３の先端には横方向に左右両側に向けて突部３１が形成されている。該突部３１によって、前記溝部４が蟻溝状になり、すなわち溝部４は入口の幅が奥部の幅よりも狭くなり、そこに合成樹脂２が充填されるので、充填された合成樹脂２である被覆樹脂２１は突部３１によって外方に抜け難くなり、芯材１の表面全周に被覆された合成樹脂２が芯材１から剥がれ難くなされている。
【００２１】
前記突部３１は、縦リブ３の先端に横方向に左右両側に向けて形成されているが、この形態に限定されるものではなく、図３に示す如く、縦リブ３の中央部に形成してもよいし、図４に示す如く、縦リブ３の先端に横方向に片方のみ形成してもよい。要は、溝部４に充填される被覆樹脂２１に対して、引っ掛りとなるように形成されればよく、突部３１の形状や形成される位置については適宜設定すればよい。
【００２２】
さらに、芯材１の左右の側面１４の下端部には蟻溝状の凹部５が長手方向に沿って形成されており、当該凹部５にも合成樹脂２が充填されているため、芯材１の表面全周に亘り被覆されている合成樹脂２がより剥がれ難くなされている。
【００２３】
また、芯材１については、図１，２に示す如く、上側の表面１３のみに縦リブ３が形成されているものに限定されるものではなく、図５に示す如く、左右の側面１４のうち少なくとも１面にも縦リブ３が形成されていてもよいし、図６に示す如く、芯材１の下面１５にも縦リブ３が形成されていてもよい。かように縦リブ３を形成する面を増やすことによって、更に放熱効果を向上させることができる。
【００２４】
本発明における芯材１は断面略矩形である。参考例として、断面略円形状として、縦リブ３を略円形の芯材１の中心点に対して放射状に全周に亘って形成したものを図７に示し、芯材１の必要な部分のみに形成したものを図８に示す。
【００２５】
なお、図面に示す形態においては、芯材１の全周に亘り合成樹脂２が被覆されているが、必ずしも芯材１の全周に合成樹脂２が被覆されている必要はなく、例えば図１に示す如き床材として本発明を用いる場合、表面１３及び両側面１４を合成樹脂２で被覆し、下面１５は被覆しないようにしてもよい。かようにすれば、外側からは見えない床材Ｐ１の下側の面は合成樹脂２により被覆されないため、外観を損なうことなく、且つ芯材１の下面１５からの更なる放熱効果が発現され、好ましい。
【００２６】
更には、図２及び図５に示す形態においては、芯材１の両側面１４の下端部に設けられている凹部５を、側面１４の中央部或いは上端部に設けて、芯材１の表面１３から側面１４中央部或いは上端部の凹部５にかけて合成樹脂２を被覆すれば、芯材１の側面１４が露出する部分が形成されるため、更なる放熱効果が期待できる。つまり、樹脂被覆長尺体Ｐの用いられる場所や用途によって、芯材１の被覆が必要な面に合成樹脂２を被覆すればよい。
【００２７】
本発明に係る樹脂被覆長尺体Ｐは、その外形が横長の断面略矩形であるので床材や壁材等に適用でき、断面略正方形状であれば柱材等に適用できる。中でも図１，２に示す如く、樹脂被覆長尺体Ｐを横長の断面略矩形に形成して、下地材Ｎ上に並列に複数配置して床材Ｐ１として用いれば、合成樹脂２をその表面に用いても蓄熱を抑えることができるので、床材上を素足で歩行してもやけどする恐れを低減できると共に、金属製の芯材１を用いても、傘や杖等で突いたりされた際の不快な金属音を低減することができ、好ましい。
【００２８】
芯材１の材質については、金属製であれば特に限定されるものではないが、中でも熱伝導性が高く、且つ軽量であるアルミ合金製型材が好適に用いられる。アルミ合金製型材を用いて芯材１を形成することによって、芯材１を被覆している合成樹脂２に蓄熱された熱を高い熱伝導率を有するアルミ合金製型材によって放熱させることができるので、樹脂被覆長尺体Ｐ上を素足で歩行したり素手で触ったりした際、火傷をする恐れを低減することができ、好ましい。
【００２９】
そして、芯材１を被覆している合成樹脂２は、合成樹脂分のみから形成されてもよいし、フィラー等の添加剤が配合され形成されてもよい。合成樹脂２の種類は特に限定されるものではなく、例えばポリオレフィン系樹脂が用いられ、例えばポリエチレン、ポリプロピレン、ポリブテン、ポリブテン、ポリイソプレン、ポリメチルペンテン、エチレン−プロピレン共重合体、エチレン−酢酸ビニル共重合体、エチレン−α−オレフィン共重合体、エチレン−エチルアクリレート共重合体、エチレン−不飽和カルボン酸共重合体金属中和物等、或いはそれらの２種以上の混合物等から適宜選択して使用することができる。中でも、床材等の人工木として要求される剛性や表面硬度、線膨張係数が小さく寸法安定性が良い点、耐候性等の面で、ポリエチレン樹脂が好適に用いられる。
【００３０】
フィラーとしては、タンカル、タルク、マイカ、シリカ、水酸化アルミ、水酸化マグネシウム、ガラスまたはガラス繊維、クレー、木粉、炭素繊維、モンモリロナイト、フライアッシュの群の中から少なくとも１種類以上選択すればよいが、木粉をフィラーとして用いると、合成樹脂で形成しているにもかかわらず、木質感を備えるものとなり、強度を満足すると共に風合いの面でも好ましい。
【００３１】
また芯材１を被覆する合成樹脂２は、必要に応じて発泡させても良い。発泡の手法としては、従来の公知の手法がいずれも利用できる。一般的には、熱分解や化学反応によってガスを発生する化学発泡と、低沸点の液体に熱をかけて気化させる物理発泡とに分類でき、化学発泡剤としては無機系の重炭酸ナトリウム、炭酸アンモニウム、重炭酸アンモニウム、亜硝酸アンモニウム、ホウ化水素ナトリウム、軽金属、アジド化合物等、また有機発泡剤としてアゾ系、ニトロソ系、ヒドラジド系等が、任意の組合せで使用できる。また、特に２倍を越える高発泡倍率での発泡には主に物理発泡が用いられ、発泡剤としては炭酸ガスや脂肪族炭化水素が主に用いられる。また、物理発泡に際しても発泡体のセル形状を整えるため化学発泡剤を併用することが多い。
【００３２】
また合成樹脂２には、必要に応じて例えば熱安定剤、酸中和剤、紫外線吸収剤、光安定剤、顔料又は染料等の着色剤、充填剤、帯電防止剤、抗菌剤、防黴剤、滑剤、造核剤、難燃剤、ブロッキング防止剤、脱水剤、艶調整剤等を添加してもよい。
【産業上の利用可能性】
【００３３】
本発明によれば、縦リブによって形成される溝部に合成樹脂が充填された部分では合成樹脂の厚みを大きくなる、すなわち縦リブが形成された表面を被覆する合成樹脂の見かけの厚みを大きくすることができので、金属製の芯材に起因する金属音を低減することができるのに加えて、芯材の表面に被覆された合成樹脂に蓄熱される熱を金属製の縦リブによって放熱することができ、樹脂被覆長尺体上を素足で歩行したり素手で触ったりした際、火傷をする恐れを低減することができる床材や柱材としての用途に好適に利用できる。
【符号の説明】
【００３４】
１    芯材
１１  中空部
１２  縦壁
１３  表面
１４  側面
１５  下面
２    合成樹脂
２１  被覆樹脂
３    縦リブ
３１  突部
４    溝部
５    凹部
Ｐ    樹脂被覆長尺体
Ｐ１  床材
Ｎ    下地材
【図１】
0005454900.tif 000002
【図２】
0005454900.tif 000003
【図３】
0005454900.tif 000004
【図４】
0005454900.tif 000005
【図５】
0005454900.tif 000006
【図６】
0005454900.tif 000007
【図７】
0005454900.tif 000008
【図８】
0005454900.tif 000009